(57)【要約】 【課題】従来肥料を落下させ散布するタイプの肥料散布機において、片側散布、両側散布が可能な構成のものは、構造が複雑で部品点数が多く全体の構造が複雑で製造コストが高かった。【解決手段】ホッパーと、シャッター板と、回動アームと、切換え部材と、１つのシャッター板開閉手段のシャッター板開閉レバーを有し、シャッター板開閉レバーは自体に設けた回動軸を支点に回動でき、中央位置及び左右位置への回動による傾倒側の切換え部材は回動アームとシャッター板とを係合状態にし、反傾倒側の切換え部材は回動アームとシャッター板とを係合を解除した状態にするとともに、中央位置で前後傾倒することにより左右両側のシャッター板を同時に摺動させ、左右の各位置で前後傾倒することにより左右の各位置に対応する片側のシャッター板のみを摺動させる肥料等の散布機による。【選択図】  図２
2007228809.tif 000002
【特許請求の範囲】
【請求項１】
フレームと、フレームに固定され左右に長い底面に複数肥料落下口を設けたホッパーと、ホッパー底面に摺動して肥料落下口を開閉可能な左右分割される２つのシャッター板と、それぞれのシャッター板を走行方向左右に摺動させるようにシャッター板と係脱自在に係合される左右の回動アームと、左右の回動アームとシャッター板とを係脱切換えを行う左右の切換え部材と、回動アームを回動させてシャッター板を摺動させ肥料落下口を開閉させるとともに左右の切換え部材と接続している１つのシャッター板開閉手段とを有し、
１つのシャッター板開閉手段は、シャッター板開閉レバーを有し、
シャッター板開閉レバーは、自体に設けた回動軸を支点に左右回動可能であり、中央位置において左右の切換え部材及び左右位置への回動による傾倒側の切換え部材は回動アームとシャッター板とを係合状態とし、反傾倒側の切換え部材は回動アームとシャッター板とを係合を解除した状態にするとともに、
中央位置において前後傾倒させることにより左右両側のシャッター板を同時に摺動させ、左右の各位置において前後傾倒させることにより左右の各位置に対応する片側のシャッター板のみを摺動させることを特徴とする肥料等の散布機。
【請求項２】
回動アームが、回動板とシャッター板係合部とからなり、シャッター板係合部が、シャッター板の下方に突設された係合突起を左右両側から挟持するような左右挟持部からなるコ字状体からなるとともに、左右の挟持部の一つが上下に回動可能でかつ切換え部材に接続しており、他の一つが回動板に固定されている請求項１に記載の肥料等の散布機。
【発明の詳細な説明】
【技術分野】
【０００１】
この発明は、トラクタの後部に装着して圃場に石灰等の土壌改良材や化学肥料等を散布するライムソワー、すなわち肥料等の散布機に関する。詳細には肥料を落下させて散布するタイプの肥料等の散布機に関する。この明細書、特許請求の範囲、要約書において使用する「肥料」という単語は、石灰等の土壌改良材、化学肥料、その他の有機肥料を含む意味で使用する。
【背景技術】
【０００２】
肥料等の散布機は、トラクタの後部に装着されて牽引されつつ圃場に石灰等の土壌改良材や化学肥料等を散布する装置であり、一般的にホッパー等に入れた石灰等の土壌改良材や化学肥料を、ホッパー底面に設けられた孔から圃場に落下させていた。
【０００３】
通常ホッパー本体の底面に設けられた多数の散布孔と、その底面とスライド可能で多数のスライド孔を有するスライド板を設け、ホッパー底面の散布孔とスライド板のスライド孔を合致させることにより石灰等の土壌改良材の散布が可能になり、又散布孔をスライド板面で狭くしたり塞ぐことにより散布量を変化させたり散布を停止させていた。
【０００４】
例えば、実公平５−４１６０９号公報（従来技術１）には、「ホッパーａと、左右のシャッター３ａ、３ｂと、各別に作動アーム４ａ、４ｂを連繋し、それら作動アームを各別に作動させる左右のシフトアーム６ａ、６ｂと、操作杆ｄ、規制板ｇ、規制板ｇに設けられる左右及び中央のガイド溝７ａ、７ｂ、７ｃ」等を有する肥料散布機の記載がある。
【０００５】
そして従来技術１の「左右のシャッター３ａ、３ｂ」の開閉作動は、第６図にあるように「規制板ｇの左右及び中央のガイド溝７ａ、７ｂ、７ｃ」に一本の「操作杆ｄ」を「傾斜回動」又は直立させて、左右のシフトアーム６ａ、６ｂを回動させ作動アーム４ａ、４ｂを回動させそれに連結する左右のシャッター３ａ、３ｂが個々に開閉する構成である。
【０００６】
また、特開平１１−１２７６４７号公報（従来技術２）の肥料散布機には、「フレーム１、ホッパー２、底板７の固定散布孔８、左右のシャッター板１０ＬＲの可動散布孔１１、操作レバー３等」を有し、操作レバー３に連結するロッド１４、ロッド１４に連結し左右に長いリンク１５、左右に対称に配置した一対のクランク１６、１６により左右のシャッター板１０Ｌ、１０Ｒを作動している構造の開示がある。
【特許文献１】実公平５−４１６０９号公報（従来技術１）
【特許文献２】特開平１１−１２７６４７号公報（従来技術２）
【発明の開示】
【発明が解決しようとする課題】
【０００７】
従来技術１及び２には、散布孔を有し左右長手方向に長い底面を有するホッパーの底面に左右にスライドして個々に移動可能なシャッター板を有する肥料散布機の開示がある。しかし従来技術１の「左右のシャッター３ａ、３ｂ」の開閉作動は、第６図にあるように「規制板ｇの左右及び中央のガイド溝７ａ、７ｂ、７ｃ」に一本の「操作杆ｄ」を「傾斜回動」又は直立させて行い左右のシャッター３ａ、３ｂが個々に開閉する構成であるため、構造が複雑となり製造コストが嵩むという課題があった。
【０００８】
更に従来技術１は、左右のシャッター３ａ、３ｂを作動させる２つの作動アーム４ａ、４ｂを回動させるために、それぞれ２つのシフトアーム６ａ、６ｂが連結が必要であった。そのため、全体の構造に部品数が多くなり複雑な構造になり、保守メンテナンス作業に手数が係り面倒であるという課題があった。
【０００９】
また、従来技術２は、「操作レバー３に連結するロッド１４、ロッド１４に連結し左右に長いリンク１５、左右に対称に配置した一対のクランク１６、１６により左右のシャッター板１０Ｌ、１０Ｒ」が互いに逆側に開閉する。そして、片側散布する場合は、シフトレバー１９を切換えて散布しない側のアーム部１６０の遊端側を嵌合凹部１９１に嵌合させて左右に動かないようにし、散布する側のみを左右に動かして行う構成である。しかし従来技術２の「切換え機構」は、操縦者が操縦席より降りて切換え作業をする必要があるとともに、リンク部分が複雑でリンク節も多く、各リンク節部のガタツキ等から操作レバー３のレスポンスも劣り、シャッター開度量の調節にも誤差が生じやすい等の問題があった。
【課題を解決するための手段】
【００１０】
上記課題を解決するため、フレームと、フレームに固定され左右に長い底面に複数肥料落下口を設けたホッパーと、ホッパー底面に摺動して肥料落下口を開閉可能な左右分割される２つのシャッター板と、それぞれのシャッター板を走行方向左右に摺動させるようにシャッター板と係脱自在に係合される左右の回動アームと、左右の回動アームとシャッター板とを係脱切換えを行う左右の切換え部材と、回動アームを回動させてシャッター板を摺動させ肥料落下口を開閉させるとともに左右の切換え部材と接続している１つのシャッター板開閉手段とを有し、
１つのシャッター板開閉手段は、シャッター板開閉レバーを有し、
シャッター板開閉レバーは、自体に設けた回動軸を支点に回動可能であり、中央位置において左右の切換え部材及び左右位置への回動による傾倒側の切換え部材は回動アームとシャッター板とを係合状態にし、反傾倒側の切換え部材は回動アームとシャッター板とを係合を解除した状態にするとともに、
中央位置において前後傾倒させることにより左右両側のシャッター板を同時に摺動させ、左右の各位置において前後傾倒させることにより左右の各位置に対応する片側のシャッター板のみを摺動させることを特徴とする肥料等の散布機を提案する。
【００１１】
また、回動アームが、回動板とシャッター板係合部とからなり、シャッター板係合部が、シャッター板の下方に突設された係合突起を左右両側から挟持するような左右挟持部からなるコ字状体からなるとともに、左右の挟持部の一つが上下に回動可能でかつ切換え部材に接続しており、他の一つが回動板に固定されている００１０欄に記載の肥料等の散布機を提案する。
【発明の効果】
【００１２】
この発明によれば、左右のシャッター板が、１つのシャッター板開閉手段の作動操作によって両側同時及び左右それぞれ片側のシャッター板の開閉が行われるとともに、シャッター板と回動アームによる係脱操作も行うことができるため、従来技術のようなシャッターレバーの操作側の切換え機構に比べ部品点数が少なくてすみ全体の構造がシンプルとなり、保守メンテナンスが容易となり、製造コストを軽減することができる効果がある。１つのシャッター板開閉手段の作動操作によってシャッター板の開閉とシャッター板と回動アームによる係脱操作も行うことができるため、連動リンク等が不要になり、シャッター板開閉手段のシャッターレバー等の設置場所を柔軟に対応して決めることができる。
【００１３】
更に、シャッター板と回動アームによる係脱操作のため、従来のようなリンクを介しての切換え機構に比べ連結部分が少ないため、操作においてガタツキ等のストロークロスが少なくシャッター板開閉手段のレスポンスが良いという効果がある。
【００１４】
請求項２の発明によれば、シャッター板開閉手段によるシャッター板の誤作動による移動、それに伴う散布口の開口を防ぐことができる効果があるとともに、再係合がし易いという効果がある。
【発明を実施するための最良の形態】
【００１５】
この発明の実施形態の図１はこの発明の実施形態の肥料散布機を走行機側から見た一部切欠正面図、図２は同じく側面切欠図、図３は図１のＡ矢視図であり要部拡大図、図４は同じくシャッター板の閉鎖状態を示す底面図、図５は同じく両面散布時のシャッター板の開放状態を示す底面図、図６は同じくシャッター板開閉手段の傾倒操作を示す切換え選択部分拡大正面図であり、両方の切換え部材が回動アームとシャッター板を係止させた状態図、図７は同じくシャッター板開閉手段の傾倒操作を示す切換え選択部分拡大正面図であり、右の切換え部材が回動アームとシャッター板を係止させた状態図、図８は、同じくシャッター板開閉手段の傾倒操作を示す切換え選択部分拡大正面図であり、左の切換え部材が回動アームとシャッター板の係止を外した状態図、図９は同じく切換え選択部分拡大側面図、図１０は同じく切換ガイド部のガイド板の拡大図である。
【００１６】
この発明の一つの実施形態について、図１乃至図１０に基づいて説明する。この発明の実施形態に係る肥料等の散布機は、図示しないトラクタ等の走行機の後部に装着可能なフレーム１と、フレーム１に固定され底面２１に複数肥料落下口２２を設けたホッパー２と、ホッパー底面２１に摺動して肥料落下口２２を開閉可能な左右のシャッター板３ａ、３ｂと、それぞれのシャッター板３ａ、３ｂを走行方向左右に開閉させるように左右のシャッター板３ａ、３ｂに係脱自在に係合される左右の回動アーム４ａ、４ｂと、それぞれの回動アーム４ａ、４ｂとシャッター板３ａ、３ｂとの係合状態の係脱切換えを行う左右の切換え部材６ａ、６ｂと、左右の回動アーム４ａ、４ｂを回動させて左右のシャッター板３ａ、３ｂを摺動させ肥料落下口２２を開閉させるとともに左右の切換え部材６ａ、６ｂと接続している１つのシャッター板開閉手段５と、切換ガイド部７とを有している。
【００１７】
フレーム１は、ロアピン１０、トップリンク１１によってトラクタ等の走行車に装着され、入力軸１２、伝動ケース１３を介してトラクタ等の走行車から動力が伝動され、ホッパー２の内部下部に設けられるアジテータ２５を回転させる。
【００１８】
ホッパー２は、底面２１が走行方向に直交な長手方向を有し、上面に開閉自在なホッパーカバー２３を設けた箱状体であり肥料等の被散布物を収納する。ホッパー底面２１は、多数の肥料落下口２２を長手方向に直線上に設けている。肥料落下口２２の口形状は、シャッター板３の散布口３０との重なり状態で散布量が調整できる幅広から順次幅狭になる口形状である。
【００１９】
シャッター板３（３ａ、３ｂ）は、左右２つの細長い板状体からなり、ホッパー底面２１の下面に接して長手方向中央で分割され、それぞれ同じ方向へ摺動可能である。シャッター板３は、長手方向に亘って複数の長方形の散布口３０を直線状に設ける。左右それぞれのシャッター板３ａ、３ｂの中央側に下方に突出する係合突起３１ａ、３１ｂを設けている。係合突起３１は、シャッター板３に固定された棒部３１０と、棒部３１０に回動可能に設けられるローラ部３１１からなる。左右のシャッター板３ａ、３ｂは、左右の回動アーム４ａ、４ｂの回動により図４に示すような閉鎖状態、又は図５に示すように両面散布状態における左右シャッター板３ａ、３ｂの開放状態をとる。
【００２０】
回動アーム４は、右回動アーム４ａと左回動アーム４ｂとの２つの部材から成り、それぞれ回動板４０ａ、４０ｂとシャッター板係合部４１ａ、４１ｂとからなるとともに互いの一端同士を連結ロッド４２によって連結される。左右の回動板４０ａ、４０ｂは、それぞれフレーム１本体に固定されているフレームボス１４に各アーム回動軸４３ａ、４３ｂによって回動自在に取り付けられている。左右のアーム回動軸４３ａ、４３ｂは、左右の右シャッター板３ａ、３ｂの中央側で係合突起３１ａ、３１ｂの近傍に配設される。
【００２１】
各シャッター板係合部４１ａ、４１ｂは、シャッター板３ａ、３ｂの下方に突設された係合突起３１ａ、３１ｂのそれぞれを左右両側から挟持するような左右挟持部４１０、４１１からなるコ字状体であり、左右の挟持部４１０、４１１のどちらか一つが上下に回動可能であり、他の一つが回動板４０に固定されている。各シャッター板係合部４１ａ、４１ｂは、それぞれのシャッター板３ａ、３ｂが、その散布口３０をホッパー底面２１の肥料落下口２２を開口する摺動方向側に回動可能な回動挟持部４１１を配設し、ホッパー底面２１の肥料落下口２２を閉鎖する摺動方向側に回動板４０に固定されている固定挟持部４１０を設けている。回動挟持部４１１は、切換え部材６のケーブルワイヤ６０に接続しており、図３に示すように挟持部回動軸４１２を中心に下方へ回動可能である。挟持部回動軸４１２には、戻し用コイルバネ４１３を設けており回動挟持部４１１を上方に回動するように付勢している。
【００２２】
シャッター板開閉手段５は、操縦席から操作可能位置に配設されるシャッター板開閉レバー５０とリンクロッド５１とからなる。シャッター板開閉レバー５０は、フレーム１に設けられたレバー回動軸５２を支点に前後方向に傾倒可能に回動自在に取り付けられており、レバー回動軸５２より上部側を操作者が握り部とし、下部端でリンクロッド５１の一端と回動自在に連結している。シャッター板開閉レバー５０は、その上部側の中間に設けられ水平方向に軸心を有する横回動軸７０を設けており、横回動軸７０を支点に左右方向に傾倒可能である。リンクロッド５１は、他の端部で１つの回動アーム４、この実施例では右回動アーム４ａの回動板４０ａに回動自在に連結している。シャッター板開閉手段５は、操作者がレバー回動軸５２より上部側を走行方向前後に操作することにより、リンクロッド５１はレバー回動軸５２を支点として逆方向へ作動する。
【００２３】
切換え部材６は、左右２つのケーブルワイヤ６０ａ、６０ｂからなり、それぞれのケーブルワイヤ６０ａ、６０ｂは、上端部で後述する切換え選択操作手段７の縦部材７３ａ、７３ｂに接続し、逆の下端部でそれぞれのシャッター板係合部４１ａ、４１ｂの回動挟持部４１１に回動自在に接続している。
【００２４】
各ケーブルワイヤ６０ａ、６０ｂは、１つのシャッター板開閉手段５のシャッター板開閉レバー５０の基本的な位置において、回動アーム４のシャッター板係合部４１ａ、４１ｂの回動挟持部４１１を引いていないため、回動挟持部４１１は戻り用コイルバネ４１３の付勢力によって上方に回動させた状態となり、固定挟持部４１０と回動挟持部４１１によってシャッター板３の係合突起３１を両側から挟持する状態としている。この状態でシャッター板開閉レバー５０を前後に操作して回動アーム４を回動させると、シャッター板３は肥料落下口２２を開口する方向に摺動可能となる。
【００２５】
また、各ケーブルワイヤ６０ａ、６０ｂが、シャッター板開閉レバー５０に設けた切換え選択手段７によるシャッター板開閉レバー５０の左右の回動により上方へ引かれた状態になると、回動アーム４のシャッター板係合部４１ａ、４１ｂの回動挟持部４１１は、戻り用コイルバネ４１３の付勢力に抗して下方に回動される。この状態ではシャッター板開閉レバー５０を前に倒して操作しても、シャッター板３の係合突起３１が回動挟持部４１１に当たらないためシャッター板３は肥料落下口２２を開口する方向に摺動しない。
【００２６】
シャッター板開閉手段５のシャッター板開閉レバー５０は、左右に切換え部材６のケーブルワイヤ６０ａ、６０ｂを並設し、ケーブルワイヤ６０ａ、６０ｂのそれぞれ上端部は、レバー回動軸５２の上部に設けた切換ガイド部７を介して接続して固定されている。
【００２７】
切換ガイド部７は、シャッター板開閉レバー５０の中間に設けられ左右に回動する横回動軸７０と、横回動軸７０より上部のシャッター板開閉レバー５０にシャッター板開閉レバー５０とほぼ直角方向に固定して設けられる横板状体７１と、横板状体７１のシャッター板開閉レバー５０から左右等間隔の位置に水平方向に突設される各係止ピン７２ａ、７２ｂと、各係止ピン７２ａ、７２ｂに長孔７４ａ、７４ｂに孔の中で移動可能に係止されるとともに下部で各ケーブルワイヤ６０ａ、６０ｂに固定接続される各縦部材７３ａ、７３ｂと、左右回動軸７０より下部に左右のケーブルワイヤ６０ａ、６０ｂを連結している横方向に設けた連結板７５と、左右のガイド孔７６を穿設したガイド板７７とを設けてなる。７８、７８は、各ケーブルワイヤ６０の中のワイヤーを保護する弾性のある素材からなる保護カバーである。７００は、横回動軸の支持部である。
【００２８】
シャッター板開閉レバー５０は、図６乃至図１０に示すように両側散布のために中央に位置させ（図６）中央ガイド孔７６ｃに沿って前後に傾倒するか、又は左右回動軸７０を支点に左右に回動させて右ガイド孔７６ａ（図７）又は左ガイド孔７６ｂ（図８）の位置で前後に傾倒すると、シャッター板開閉レバー５０は、ガイド板７７の左右中のいずれかのガイド孔７６ａ、７６ｂ、７６ｃに沿って前後に傾倒する。
【００２９】
シャッター板開閉レバー５０を、図６に示すように、両側散布のために中央に位置させた場合、切換ガイド部７の横板状体７１に設けられた左右の係止ピン７２ａ、７２ｂとも、それぞれ係合している長孔７４ａ、７４ｂの上端に位置する。そのため左右の縦部材７３ａ、７３ｂに接続してい左右２本のケーブルワイヤ６０ａ、６０ｂは、ともに基本位置になっており引かれていない。この状態でシャッター板開閉レバー５０を中央ガイド孔７６ｃに沿う位置で前後に傾倒することができる。切換え部材６の左右２本のケーブルワイヤ６０ａ、６０ｂが２本ともに引かれていないため先端で接続している回動アーム４ａ、４ｂともにシャッター板係合部４１ａ、４１ｂの回動挟持部４１１、４１１を引いていない。そのため、回動挟持部４１１は戻り用コイルバネ４１３の付勢力によって上方に回動された状態となっており、平面コ字状となり固定挟持部４１０と回動挟持部４１１によってシャッター板３ａ、３ｂの係合突起３１を両側から挟持する状態になる。この状態でシャッター板開閉レバー５０を前に傾倒して操作すると左右の回動アーム４が回動して左右のシャッター板３ａ、３ｂともに摺動して肥料落下口２２を開口し両側散布となる。
【００３０】
また、シャッター板開閉レバー５０を、図７に示すように、右の片側散布のために右に回動させ右傾倒させた場合、切換え選択部分７の横板状体７１に設けられた左の係止ピン７２ａは係合している長孔７４ａの上端に引かれ縦部材７３ａに接続する左のケーブルワイヤ６０ａを引く状態にしている。反対に右の係止ピン７２ｂは係合している長孔７４ｂの下端に位置して孔の下端で押された状態になるため右の縦部材７３ｂに接続する右のケーブルワイヤ６０ｂは、基本位置になったままで引かれていない。この状態ではシャッター板開閉レバー５０を右ガイド孔７６ｂに沿う位置で前後に傾倒することができる。この状態では切換え部材６ａの左側のケーブルワイヤ６０ａのみが引かれ、その先端で接続している回動アーム４ａのシャッター板係合部４１ａの回動挟持部４１１を引く。そのため、回動挟持部４１１は戻り用コイルバネ４１３の付勢力に抗して下方に回動された状態となっており、この状態ではシャッター板開閉レバー５０を前に傾倒して操作して左回動アーム４ａを回動させても、左シャッター板３ａの係合突起３１が回動挟持部４１１に当たらないためシャッター板３ａは肥料落下口２２を開口する方向に摺動しない。左側のシャッター板３ｂは、係合突起３１が回動挟持部４１１に当り、摺動して肥料落下口２２を開口させる。したがって、右側のみの片側散布となる。
【００３１】
また、シャッター板開閉レバー５０を、図８に示すように、左の片側散布のために左に回動させ左傾倒させた場合、切換え選択部分７の横板状体７１に設けられた右の係止ピン７２ｂは係合している長孔７４ｂの上端に引かれ縦部材７３ｂに接続する右のケーブルワイヤ６０ｂを引く状態にしている。反対に左の係止ピン７２ａは係合している長孔７４ａの下端に位置して孔の下端で押された状態になるため左の縦部材７３ａに接続する左のケーブルワイヤ６０ａは、基本位置になったままで引かれていない。この状態では、切換え部材６ｂの右側のケーブルワイヤ６０ｂのみが引かれ、その先端で接続している回動アーム４ｂのシャッター板係合部４１ｂの回動挟持部４１１を引く。そのため、回動挟持部４１１は戻り用コイルバネ４１３の付勢力に抗して下方に回動された状態となっており、この状態ではシャッター板開閉レバー５０を前に倒して操作して右回動アーム４ｂを回動させても、右シャッター板３ｂの係合突起３１が回動挟持部４１１に当たらないためシャッター板３ｂは肥料落下口２２を開口する方向に摺動しない。右側のシャッター板３ａは、係合突起３１が回動挟持部４１１に当り、摺動して肥料落下口２２を開口させる。したがって、左側のみの片側散布となる。
【産業上の利用可能性】
【００３２】
この発明は、圃場への肥料等を落下させて散布する肥料等の散布機に利用する価値が高い。
【図面の簡単な説明】
【００３３】
【図１】この発明の実施形態の肥料散布機を走行機側から見た一部切欠正面図
【図２】同じく側面切欠図
【図３】図１のＡ矢視図であり要部拡大図
【図４】同じくシャッター板の閉鎖状態を示す底面図
【図５】同じく両面散布時のシャッター板の開放状態を示す底面図
【図６】同じくシャッター板開閉手段の傾倒を示す部分拡大正面図であり、両方の切換え部材が回動アームとシャッター板を係止させた状態図
【図７】同じくシャッター板開閉手段の傾倒を示す部分拡大正面図であり、右の切換え部材が回動アームとシャッター板を係止させた状態図
【図８】同じくシャッター板開閉手段の傾倒を示す部分拡大正面図であり、左の切換え部材が回動アームとシャッター板の係止を外した状態図
【図９】同じくシャッター板開閉手段と切換ガイド部の部分拡大側面図
【図１０】同じく切換ガイド部のガイド板の拡大図
【符号の説明】
【００３４】
１  フレーム
１０  ロアピン
１１  トップリンク
１２  入力軸
１３  伝動ケース
１４  フレームボス
２  ホッパー
２０  ホッパー本体
２１  ホッパー底面
２２  肥料落下口
２３  ホッパーカバー
２４  底面回動軸
２５  アジテーター
３  シャッター板
３０  散布口
３１  係合突起
３１０  棒部
３１１  ローラ部
４（４ａ、４ｂ）  回動アーム
４０（４０ａ、４０ｂ）  回動板
４１（４１ａ、４１ｂ）  シャッター板係合部
４１０  固定挟持部
４１１  回動挟持部
４１２  挟持部回動軸
４１３  戻り用コイルバネ
４２  連結ロッド
４３（４３ａ、４３ｂ）  アーム回動軸
５  シャッター板開閉手段
５０  シャッター板開閉レバー
５１  リンクロッド
５２  レバー回動軸
６  切換え部材
６０  ケーブルワイヤ
７  切換ガイド部
７０  横回動軸
７００  横回動軸の支持部
７１  横板状体
７２（７２ａ、７２ｂ）  係止ピン
７３（７３ａ、７３ｂ）  縦部材
７４（７４ａ、７４ｂ）  長孔
７５  連結板
７６  ガイド孔
７６ａ  左ガイド孔
７６ｂ  右ガイド孔
７６ｃ  中央ガイド孔
７７  ガイド板
７８  保護カバー
【図１】
2007228809.tif 000003
【図２】
2007228809.tif 000004
【図３】
2007228809.tif 000005
【図４】
2007228809.tif 000006
【図５】
2007228809.tif 000007
【図６】
2007228809.tif 000008
【図７】
2007228809.tif 000009
【図８】
2007228809.tif 000010
【図９】
2007228809.tif 000011
【図１０】
2007228809.tif 000012